(57)【要約】【課題】室内外に設置して様々の用途に供される構造体において、様々なバリエーションに対応できる支柱を提供する。【手段】支柱１，２は芯材としての機能を有するインナー部材５と、その外側に配置した複数のアウター部材６から成っている。両部材とも強度メンバーであり、アウター部材６は、長手方向への移動によってインナー部材５に抜き差しできる。インナー部材５にアウター部材６のみを取り付けたり、一部又は全部のアウター部材６を中間フレーム５２に付け替えたりして、オープンタイプの構造体としたり間仕切りタイプの構造体としたり簡単に変更できる。【選択図】      図１５
2004180779.tif 000002
【特許請求の範囲】
【請求項１】
複数本の支柱の上端間を水平ビームで連結して前記支柱に家具類や機器類をを取付けできるようになっているスペース利用システムや、適宜間隔を隔てて立設した支柱にパネルを取付けた間仕切装置のように、支柱に他の部材を取付けることにより、室内又は室外に何らかの用途に供されるスペースを形成する構造体であって、
前記支柱を、芯材としての機能を有するインナー部材と、その外側に配置した複数本のアウター部材とより成る複合構造と成し、アウター部材をインナー部材に一体に取付けている、
スペース形成用構造体。
【請求項２】
前記インナー部材の外側に、等間隔を隔てて３本以上のアウター部材が配置されており、インナー部材と各アウター部材とには、両者をその長手方向に相対動させることによって互いに取付け・取り外しできる係合手段が形成されており、アウター部材を取り外すと、インナー部材にはパネル支持用等の中間フレームが取付け可能となっている、
請求項１に記載したスペース形成用構造体。
【請求項３】
前記複数のアウター部材は、隣合ったアウター部材の間に配線可能空間が空くように間隔を空けた状態でインナー部材の周囲に等間隔を隔てて配置されており、これら各アウター部材に、外向きに開口した蟻溝を全長にわたって延びるように形成しており、更に、前記配線可能空間を塞ぐ着脱自在なカバーを設けている、
請求項１又は請求項２に記載したスペース形成用構造体。
【請求項４】
前記アウター部材を平面視で外向き凹状に開口した形態とすることにより、当該アウター部材の内部を配線可能空間と成し、このアウター部材にカバーを着脱自在に取り付けている、
請求項１〜３のうちの何れかに記載したスペース形成用構造体。
【請求項５】
芯材としての機能を有するインナー部材と、その外側に配置した複数本のアウター部材とより成る複合構造と成し、アウター部材をインナー部材に一体に取付けており、
更に、隣合ったアウター部材の間に配線可能空間を形成するか、又は、アウター部材を平面視で外向き開口した形態とすることによって当該アウター部材の内部を配線可能空間として、この配線可能空間を着脱自在なカバーで塞いでいるか又は開口したままにしている、
支柱。
【発明の詳細な説明】
【０００１】
【発明の属する技術分野】
本発明は、室内又は室外に設置して各種の用途に供せられる構造体及びこれに使用する支柱に関するものである。
【０００２】
【従来の技術】
室内や室外に談話スペースや休憩スペース、事務用スペース、会議用スペース、個室状ブースなどの様々の用途のスペースを設けるため、支柱群の上端を水平ビーム（横梁材）で連結したオープン式の構造体が提案されている（例えば特許文献１）。また、空間を仕切る構造体の代表例として間仕切装置があり、これも各種のものが提案されている。
【０００３】
これら室内又は室外に様々の用途に供されるスペースを形成するための構造体は、一般に、支柱を基本要素として、この支柱に、用途に応じて様々の部材を取付けた構成になっている。
【０００４】
支柱は様々の断面形状のものが提案されている。また、素材や加工方法も様々であり、板金製のもの、チャンネル材等の型鋼を使用したもの、或いは、軽合金の押し出し加工品などが使用されている。
【０００５】
また、支柱に、ブラケットを介してテーブル（机）や棚板を取付けできるようにしたり、配線機能を設けたりというように、支柱に様々の機能を持たせることが行われている。
【０００６】
例えば、特許文献１には、略円形の支柱に平面視で放射方向に開口した縦溝を形成して、縦溝を配線可能空間に利用したものが記載されている。また、特許文献２には、中空角形の芯部から放射方向に側片を突設することにより、隣合った側片の間に配線可能な空間を形成し、この空間を着脱自在なカバーで塞ぐことが記載されている。
【０００７】
【特許文献１】
特開２０００−１３８６９２号公報
【特許文献２】
特開平１１−１８５１３３号公報
【０００８】
【発明が解決しようとする課題】
前記両特許文献を初めとして、従来の構造体用支柱は、全体が一体構造になっているものが殆どであり、従って、断面形状や大きさなどは予め設定すると変更できなくなっている。
【０００９】
また、例えば断面Ｃ形やコ字形の溝型鋼を背中合わせにしてボルトで締結したもののような複合構造の支柱もあるが、これにしても、特定の用途・構造に合わせて特定の形状と寸法に設計し製造するものであり、異なる用途に共用できるものではない。
【００１０】
他方、例えばオフィスでのスペースの使用形態としては、個人の周囲を間仕切で囲ったクローズド式ワークスペースの他に、多人数が空間を共用し合うオープン式ワークスペースや、両者の折衷型ワークスペースなど、ワーキングスタイルが多様化している。また、イベント会場や公衆広場、店舗などにおいても、談話や休憩、飲食、会議などの様々の要望に応えられるよう各種の設備類が要望されている。
【００１１】
従って、パーティションのように支柱を使用した構造体もユーザーの要望に応じて様々の展開が求められており、すると、必然的に支柱の種類も多様化せざる得ない。
【００１２】
しかし、従来のように特定の目的に合わせて支柱の形状や大きさを設計し製造していたのでは、ユーザーの多様な要望に応えた構造体を製造するためには極めて多種類の支柱が必要となり、このため、コストが嵩むと共に管理の手間を増えることになる。また、支柱の断面形状が複雑になると製造も厄介になる虞がある。
【００１３】
本発明は、このような現状を改善することを課題とするものである。
【００１４】
【課題を解決するための手段】
請求項１の発明では、複数本の支柱の上端間を水平ビームで連結して前記支柱に家具類や機器類をを取付けできるようになっているスペース利用システムや、適宜間隔を隔てて立設した支柱にパネルを取付けた間仕切装置のように、支柱に他の部材を取付けることにより、室内又は室外に何らかの用途に供されるスペースを形成する構造体において、前記支柱を、芯材としての機能を有するインナー部材と、その外側に配置した複数本のアウター部材とより成る複合構造と成し、アウター部材をインナー部材に一体に取付けている。
【００１５】
請求項２の発明では、請求項１において、前記複数のアウター部材は、隣合ったアウター部材の間に配線可能空間が空くように間隔を空けた状態でインナー部材の周囲に等間隔を隔てて配置されており、これら各アウター部材に、外向きに開口した蟻溝を全長にわたって延びるように形成しており、更に、前記配線可能空間を塞ぐ着脱自在なカバーを設けている。
【００１６】
請求項３の発明では、請求項１又は請求項２において、前記インナー部材の外側に、等間隔を隔てて３本以上のアウター部材が配置されており、インナー部材と各アウター部材とには、両者をその長手方向に相対動させることによって互いに取付け・取り外しできる係合手段が形成されており、アウター部材を取り外すと、インナー部材にはパネル支持用等の中間フレームが取付け可能となっている。
【００１７】
請求項４の発明では、請求項１〜請求項３のうちの何れかにおいて、前記アウター部材を平面視で外向き凹状に開口した形態とすることにより、当該アウター部材の内部を配線可能空間と成し、このアウター部材にカバーを着脱自在に取り付けている。
【００１８】
本発明は、請求項１〜４に記載したスペース形成用構造体等に使用されるか又は独立して使用される支柱を含んでいる。この支柱は、芯材としての機能を有するインナー部材と、その外側に配置した複数本のアウター部材とより成る複合構造と成し、アウター部材をインナー部材に一体に取付けている。
【００１９】
そして、隣合ったアウター部材の間に配線可能空間を形成するか、又は、アウター部材を平面視で外向き開口した形態とすることによって当該アウター部材の内部を配線可能空間として、この配線可能空間を着脱自在なカバーで塞いでいるか又は開口したままにしている。
【００２０】
【発明の作用・効果】
本発明によると、支柱はアウター部材と複数のインナー部材とで構成されていおり、両者が共に支柱としての支持機能を備えた強度メンバーとして機能している。このため、複雑な断面形状の支柱であっても、製造が容易となる。
【００２１】
また、アウター部材の取り付け個数を変えたり、アウター部材の形状や大きさを変えたりすることにより、支柱の形状や大きさを様々に変えることができるため、構造体のレイアウトや用途を豊富化するにおいて簡単に対応することができる。
【００２２】
特に、請求項２のように構成すると、アウター部材をパネル支持フレームのようなフレーム材に置き換えることにより、支柱に様々な機能を持たせることができるため、特に好適である。
【００２３】
また、請求項３や請求項４のように支柱に配線可能空間を設けると、ケーブル類を美麗に処理することができる。逆に言うと、支柱をインナー部材とアウター部材との複合構造としたことにより、配線可能空間を形成することが簡単にできると言える。
【００２４】
また、請求項３のように構成すると、アウター部材に設けた蟻溝を利用してブラケット等の様々の部材を固定又は係止することができるため、テーブルや棚等の什器類・機器類を簡単に取り付けることができる。
【００２５】
本発明の支柱は、スペース形成用構造体等の一部として使用することも独立して使用することもできる。そして、請求項１〜４と同様の効果を発揮する。
【００２６】
【発明の実施形態】
次に、本発明の実施形態を図面に基づいて説明する。
【００２７】
（１）．第１実施形態（図１〜図１０）
まず、図１〜図１０に基づいて第１実施形態を説明する。図１のうち（Ａ）は概略斜視図、（Ｂ）は概略平面図である。この図１に示すように、構造体は、複数本（６本）の支柱１，２の群と、隣合った支柱１，２をその上部において連結する水平ビーム３の群とを備えている。
【００２８】
支柱群は、３本の水平ビーム３が連結されている２本の中間支柱１と、中間支柱１に連結された水平ビーム３が１本だけ連結されているエンド支柱２との２種類が存在しており、各エンド支柱２にテーブル４を固定している。
【００２９】
中間支柱１から延びる３本の水平ビーム３は平面視で１２０度間隔で広がっている。各支柱１，２には、ブラケット（図示せず）を介して小棚板２８を着脱自在に取り付けることができる。以下、各部位の詳細を図２以下の図面に基づいて説明する。
【００３０】
▲１▼．支柱
まず、図２〜図５に基づいて支柱１，２の構造を説明する。図２は図１のＩＩ−ＩＩ視断面図、図３は支柱１，２の分離断面図、図４は図２のＩＶ−ＩＶ視断面図、図５のうち（Ａ）は分離断面図、（Ｂ）は（Ａ）のＢ−Ｂ視底面図である。
【００３１】
図２や図３に示すように、支柱１，２は、平面視正三角形状で中空のインナー部材５と、インナー部材５における各側面の外側に配置された３本のアウター部材６とで構成されている。インナー部材５のうち平面視で三角形の底辺をなす側面部には、請求項に記載した係合手段の一例として蟻溝型係合部７が形成されている。
【００３２】
他方、アウター部材６は、全体として中空状で、半径外側の部分が巾広となる形状であり、半径内向きの部分には、請求項に記載した係合手段の一例として、軸方向からの抜き差しによってインナー部材５の蟻溝型係合部７に係脱する凸状型係合部８が形成されており。また、アウター部材６の外周部には、上下長手の第１蟻溝９が中心線を挟んだ両側に対称状に形成されている。
【００３３】
隣合ったアウター部材６の間の部分は外側に開口した配線可能空間１１となっており、この配線可能空間１１は、平面視円弧状のカバー１０で着脱自在に塞がれている。カバー１０の長手両側面には、アウター部材６の段部６ａに係脱する係合爪１０ａを設けている。各アウター部材６外周面とカバー１０の外周面とは同じ曲率半径に形成されており、このため支柱１，２は全体として円形の外観を成している。
【００３４】
例えば図３に示すように、インナー部材５のうち平面視で三角形の頂点寄り部分には第１円弧状溝１３が、アウター部材６のうち半径方向の約中途部には第２円弧状溝１４と第３円弧状溝１５がそれぞれ形成されており、第１円弧状溝１３と第２円弧状溝１４とにねじ込まれたねじ１６により、インナー部材５とアウター部材６との下面にアジャスター受け１７の支持板１８に固定している。
【００３５】
図５に示すように、アジャスター受け１７の支持板１８には、下向き筒部１９とアジャスターボルト２０とが固着されており、アジャスターボルト２０を、アジャスター２１のナット板２２にねじ込んでいる。アジャスター２１のナット板２２には筒部２３を一体に固着しており、筒部２３はベース板２４に固着されている。
【００３６】
従って、アジャスター２１を水平回転させることにより、支柱１，２の高さを調節することができる。なお、ベース板２４はアンカーで床に固定しても良い。また、ベース板２４を広い面積とすることにより、支柱１，２の安定性を向上させてもよい。なお、支柱１，２のアジャスト手段としては、板状のアジャスター受けに単にアジャスタボルトを下方からねじ込んだ形態でも良い。
【００３７】
例えば図３に明瞭に示すように、アジャスター受け１７の支持板１８には、配線可能空間１１に連通する配線通路２５を切り開き形成している。電源用や通信用等のケーブル類２６は、床内に埋設したダクトから床上に引き出すことが多いことから、床上に引き出した（或いは這わせた）ケーブル類２６は、配線通路２５と配線可能空間１１とを介してテーブル上等に引き出すことができる。
【００３８】
配線通路２５と配線可能空間１１は半径外側に開口しているため、配線作業はカバー１０を取り外すことによって簡単に行える。
【００３９】
インナー部材５とアウター部材６とは、アルミ等の軽合金を素材とした押し出し成形品を採用しているが、板金製等であっても良い。また、カバー１０は合成樹脂の押し出し成形品を採用しているが、これを板金製等とすることも可能である。
【００４０】
▲２▼．テーブル
テーブル４は、３枚の天板２９とこれらを支持する脚３０とを備えている。天板２９は平面視１２０度の角度で広がっており、全体として円形を成している。天板２９と支柱１，２との間には、ケーブル類２６を引き出しできるようにある程度の間隔が空いている。
【００４１】
他方、脚３０は、天板２９の下面に沿って延びる水平部３０ａと、その先端に固定した支持足部３０ｂと、支柱１，２におけるアウター部材６の外面に重なる上下長手の取付け部３０ｃと、取付け部３０ｃの下端と支持足部３０ｂとを連結する補強杆３０ｄとを備えており、１本の脚３０の水平部３０ａが２枚の天板２９に跨がった状態で配置されている。
【００４２】
そして、水平部３０ａに固定したブラケット板３１を天板２９にねじで固定している。このため、３枚の天板２９は全体として１枚板状に連結されて、３本の脚３０で支持されている。取付け部３０ｄは、エンド支柱２におけるアウター部材６の第１蟻溝９を塞ぐように広がっている一方、アウター部材６の第１蟻溝９にはナット板３３が嵌め込まれており、取付け部３０ｄに貫通したねじ（例えば皿ビス）３２を板ナット３３にねじ込むことにより、脚３０をエンド支柱２に固定している。
【００４３】
３本の脚３０のうち１本の脚３０は平面視で水平ビーム３と重なるように延びており、他の２本の脚３０は、平面視で水平ビーム３の外側に広がるように延びている。
【００４４】
配線可能空間１１からテーブル上にケーブル類２６を引き出すに当たっては、カバー１０を上下に分離して、上下に分離したカバーの間からケーブル類２６を引き出しても良いし、カバー１０に引き出し口を部分的に切欠いて、この引き出し口からケーブル類２６を引き出してもよい。
【００４５】
なお、テーブル４の形態や支柱１，２への取付け方法は様々な方法を採用できる。例えば天板は３枚組とする必要はなく、２枚組としたりドーナツ状の１枚物とすることも可能である。また、必ずしもドーナツ状に形成する必要はなく、半円形や扇形とすることも可能である。外形も円形に限らず、平面視四角形等の多角形とすることも可能である。
【００４６】
本実施形態のように、複数枚の天板２９を連結したテーブル４を全体としてドーナツ状に形成すると、エンド支柱２を立設した状態でテーブル４の取付け・取り外しを行えるため、施工が頗る楽である。
【００４７】
また、脚３０は、天板２９の下面に固定した単なる棒状の形態でも良い。テーブル４をエンド支柱２に固定せずに床に設置するだけでも良いが、本実施形態のようにエンド支柱２に固定すると、お互いが補強し合って両者の安定性を格段に向上させることができる。テーブル４が大きい場合は、脚３０の本数を増やせばよい。
【００４８】
詳細は省略するが、アウター部材６の第１蟻溝９に、既述した板ナット３３や、多数の係合穴を空けたハンギングプレートなどを嵌め入れて、これら板ナット３３やハンギングプレートにブラケットを固定又は係止し、このブラケットによって小棚板２８を支持したり、液晶等のモニター（ディスプレイ）を取付けたりというように、アウター部材６の第１蟻溝９を利用して各種の物品・機器類を取り付けることができる。
【００４９】
▲３▼．支柱と水平ビームとの連結構造
次に、支柱１，２と水平ビーム３との連結構造を図６〜図１０に基づいて説明する。
【００５０】
図６は中間支柱１の箇所での平面図、図７のうち（Ａ）は図６のＶＩＩＡ−ＶＩＩＡ  視断面図、（Ｂ）は図６のＶＩＩＢ−ＶＩＩＢ  視断面、図８は補強金具の斜視図、図９は分離正面図、図１０のうち（Ａ）は図９のＸＡ−ＸＡ  視平面図、（Ｂ）は図９のＸＢ−ＸＢ  視断面図、（Ｃ）（Ｄ）は他の連結金具の平面図である。
【００５１】
図７に示すように、水平ビーム３は全体としては中空の略角形に形成されており、長手中心線に沿って延びる第１上向き開口溝３５と、その両側に形成された２条の第２上向き開口溝３６と、両側面に開口した第２蟻溝３７と、下向きに開口した第３蟻溝３８とを備えている。
【００５２】
各上向き開口溝３５，３６にはケーブル類２６を這わせることができ、このケーブル類２６は支柱１，２の配線可能空間１１に挿通できる。また、第２蟻溝３７と第３蟻溝３８とには、映写用スクリーンや目隠し用幕類、カーテン、ホワイトボード等の様々の物品や機器類を吊懸けることができる。
【００５３】
中間支柱１と水平ビーム３とを連結するに当たっては連結金具３９が使用されている。この連結金具３９は、支柱１，２におけるインナー部材５の内部に上方からきっちり嵌まり込む平断面六角形の足部４０と、各水平ビーム３の中空部に嵌合し得る角筒状の３本の水平腕部４１とを溶接によって固着した態様になっており、水平腕部４１にねじ４２で水平ビーム３のうち第１上向き開口溝３５の底板を固定している。
【００５４】
図６及び図９に示すように、支柱１，２におけるインナー部材５の上部には、連結金具３９の水平腕部４１が嵌まる上向き開口の切欠き５ａが形成されている。
【００５５】
図７（Ａ）に示すように、水平ビーム３における第３蟻溝３８の底板３８ａは、連結金具３９の水平腕部４１が上方から嵌まるように切欠かれている（切欠きを符号４３で示す）。従って、予め左右に支柱１，２を立設しておいてから、水平ビーム３を固定することができる。また、水平ビーム３を交換する場合、連結金具３９は支柱１，２に取り付けたままで水平ビーム３だけを簡単に交換することができる。
【００５６】
エンド支柱２と水平ビーム３とを連結するためのエンド用の連結金具３９は、図１０（Ｃ）に示すように１本の水平腕部４１を備えた形状になる。また、１本の中間支柱に２本の水平ビーム３を平面視でく字状の姿勢で取付けるための連結金具３９は、図１０（Ｄ）に示すように２本の水平腕部４１を備えた形状になる。
【００５７】
水平ビーム３はインナー部材５の側面に突き合わさるように配置されており、このため、図９に示すように、インナー部材５の上部はアウター部材６及びカバー１０から上向きに突出している。このため、水平ビーム３が交叉している状態が露出したままであると体裁が悪い。
【００５８】
そこで、各水平ビーム３の付け根部を、アウター部材６及びカバー１０と同じ曲率半径の筒状天キャップ４４で隠している。従って、天キャップ４４には、水平ビーム３に嵌まる下向き開口の切欠き４５が形成されている。天キャップ４４は上下に開口しているが、上面が天板で塞がれていても良い。
【００５９】
中間支柱１に連結された水平ビーム３を補強部材で固定して、補強することができる。その一例を図６〜図８で示している。すなわちこの補強部材４６は、隣合った水平ビーム３における第２上向き開口溝３６を覆うような一対の嵌合部４６ａを備えており、この嵌合部４６ａを、第２上向き開口溝３６の内部に上向き抜け不能に嵌め入れた板ナット４８にねじ４７で固定している。
【００６０】
（２）．第２実施形態（図１１）
前記した第１実施形態では、２本の水平ビームを平面視で１２０度広がった状態で中間支柱に固定することかできるが、このような態様の支柱と水平ビームとの組合せを利用して、図１１に第２実施形態として示すように、平面視で六角形の囲い枠状構造体を構築することができる。
【００６１】
この構造体の使用態様はユーザーが自由に選択できるだ、本図では、６つの面のうち１面を出入り口として、他の面には壁材４９を取付けている。壁材４９は不透明のパネルでも良いし、ガラス等の透明又は半透明板でも良いし、透明又は半透明のスクリーン、これらの組合せなど、様々の素材を採用できる。
【００６２】
言うまでないが、構造体の内部には机や椅子などの様々の家具類や機器類を設置することができる。この実施形態では、支柱１と水平ビーム３との連結には、図１０（Ｄ）に示した連結金具３９が使用される。
【００６３】
詳細は省略するが、壁材４９は縦フレーム５０に取り付けられており、この縦フレーム５０は、支柱１のアウター部材６を取り外してからインナー部材５に取り付けている。隣り合った支柱１に、縦横のフレームで構成された格子枠を取り付けて、この格子枠に様々の部材を吊りかけることも可能である。
【００６４】
（３）．第３実施形態（図１２〜図１３）
図１２〜図１３では第３実施形態を示している。図１２は概略斜視図、図１３は図１２のＸＩＩＩ−ＸＩＩＩ  視断面図である。この実施形態では、１本の中間支柱１から４本の水平ビーム３が平面視で放射状に延びており、各エンド支柱２にテーブル４を取付けている。
【００６５】
この実施形態では、各支柱１，２がインナー部材５とアウター部材６とから成っている点は第１実施形態と同じであるが、インナー部材５は中空角形に形成されており、これに伴って、アウター部材６とカバー１０とを４本ずつ備えている。
【００６６】
本実施形態のように支柱１，２のインナー部材５を平面視四角形に形成すると、構造体は平面視でＴ字状やＬ字状のように、水平ビーム３が平面視で直角に延びる状態を基本として、自在に組み合わせることができる。
【００６７】
（４）．第４実施形態（図１４〜図１５）
図１４〜図１６では、構造体を間仕切り状に構成した第４実施形態を示している。図１４は全体の概略斜視図、図１５は図１４のＸＶ−ＸＶ  視断面図である。
【００６８】
本実施形態の支柱１は図１３と同じ構造であり、平面視略四角形で中空のインナー部材５と、その外側に配置されたアウター部材６とを基本構成要素としている。
【００６９】
他方、構造体は壁材４９を備えており、この壁材４９は、左右のサイドフレーム５０と両者に連結された複数本の横フレーム５１とより成る枠組みに取り付けられている。サイドフレーム５０には、ナット板やハンギングプレートをはめ込みできる第４蟻溝５１を形成している。なお、壁材４９は様々の構造を採用できる。
【００７０】
図１５に示すように、サイドフレーム５０は、支柱１，２に取り付けた中間フレーム５２に取り付けられている。中間フレーム５１は、アウター部材６と同じ断面形状の取り付け部５１ａと、サイドフレーム５０と良く似た自由端部５２ｂとを備えており、全体として支柱１，２の半径外側にはみ出た状態になっている。
【００７１】
自由端部５２ａは別部材としてねじ５３で固定しているが、中間フレーム５２の全体を一体成形することも可能である。自由端部５２ａへのサイドフレーム５０の取り付けは上下の連結金具を使用して行われるが、詳細は省略する。
【００７２】
この第４実施形態と既述の第３実施形態との対比から明らかなように、インナー部材５とアウター部材６との組合せを基本構成として、インナー部材５とアウター部材６だけで支柱１，２を構成したり、一部のアウター部材６を中間フレーム５２に置き換えたりすることにより、オープン方式の構造体と成したり、壁材４９を備えている間仕切り状の構造体と成したりすることを簡単に行える。
【００７３】
なお、中間フレーム５２はインナー部材５と一体になって支柱１，２の強度を確保しているので、アウター部材の一種と見ることもできる。
【００７４】
本実施形態では構造体の四周のうち三面を壁構造として一面を開口しているが、一点鎖線で示すように、全周を壁構造として、これにスライド式の扉４９′で開閉される出入り口を設けても良い。
【００７５】
（５）．第５実施形態（図１６）
図１６では、請求項４を具体化した第５実施形態を示している。この実施形態では、支柱１，２は、第３実施形態及び第４実施形態と同様の略中空角形のインナー部材５と、インナー部材５の各側面に重ねて配置されるアウター部材６を備えており、アウター部材６は平面視で半径外向きに開口して配線可能空間１１が空いており、これをカバー１０で塞ぐことができるようになっている。
【００７６】
隣り合ったアウター部材６の側縁は互いに重なるようになっており、隣り合ったアウター部材６の側縁によって第１蟻溝９が形成されている。
【００７７】
また、各アウター部材６の側縁によって係合手段の一例としての蟻溝形係合部５４が形成されており、この蟻溝形係合部５４にカバ１０を係止するようになっている。更に、中間フレーム５２には、係合手段の一例として、長手方向への移動によってアウター部材６の蟻溝形係合部５４に抜き差しできる凸形係合部５５が形成されている。
【００７８】
この第５実施形態では、配線可能空間１１の容積を大きくできる利点がある。なお、本実施形態てはアウター部材６に中間フレーム５２を取り付けているが、中間フレーム６を取り外して中間フレーム５２を直接にインナー部材５に取り付けても良いことは言うまでもない。
【００７９】
また、壁材が平面視で十字状に延びる間仕切状の構造体を形成する場合は、全てのアウター部材６に中間フレーム５２を取り付けたり、全てのアウター部材６を取り外してインナー部材５の全周に中間フレーム５２を取り付けたりすれば良い。
【００８０】
（６）．第６実施形態
上記の各実施形態では支柱を構造体の要素として使用しているが、例えば床に立設して、これを配線用ポストとして使用することもできる。支柱の固定手段としては、平面視で半径外側に広がる脚を取付けて自立させても良いし、アンカー等で床に固定しても良いし、天井と床に突っ張らせても良い。
【００８１】
カバーは必ずしも装着する必要はなく、配線可能空間を開口させたままでも良い。全長のうち特定の部分を開口したままにして、他の部分はカバーで塞ぐことも可能である。
【００８２】
（７）．その他
本発明は上記の実施形態の他にも様々に具体化することがてきる。例えば支柱を構成するインナー部材及びアウター部材並びに中間フレームの断面形状は、用途等に応じて様々に具体化することができる。支柱は全体として（アウター部材とカバーとを含めた外観形状として）、四角形や六角形、八角形等の角形に形成しても良い。
【００８３】
また、構造体の使用態様は任意にく設定することができるのであり、例えば、隣り合った複数本の支柱を利用してテーブル板を固定したり（すなわち支柱をテーブルの脚に兼用したり）、支柱や水平ビームに灯具やスピーカ、壁掛けテレビ等を取り付けたりすることもできる。
【００８４】
中間フレームの用途例としては実施形態のような壁材の取り付けには限らず、例えば水平外向きに張り出した案内板の取り付けに利用することなども可能である。
【図面の簡単な説明】
【図１】第１実施形態の概略図で、  （Ａ）は斜視図、  （Ｂ）は平面図である。
【図２】図１のＩＩ−ＩＩ視断面図である。
【図３】支柱の分離断面図である。
【図４】図２のＩＶ−ＩＶ視断面図である。
【図５】（Ａ）は分離断面図、  （Ｂ）は  （Ａ）の  Ｂ−Ｂ視底面図である。
【図６】中間支柱の箇所での平面図である。
【図７】（Ａ）は図６のＶＩＩＡ−ＶＩＩＡ  視断面図、  （Ｂ）は図６のＶＩＩＢ−ＶＩＩＢ  視断面図である。
【図８】補強金具の斜視図である。
【図９】支柱と水平ビームとの取り付け関係を示す分離正面図である。
【図１０】（Ａ）は図９のＸＡ−ＸＡ  視平面図、  （Ｂ）は図９のＸＢ−ＸＢ  視断面図、（Ｃ）（Ｄ）は他の連結金具の平面図である。
【図１１】第２実施形態の概略斜視図である。
【図１２】第３実施形態の概略斜視図である。
【図１３】図１２のＸＩＩＩ−ＸＩＩＩ  視断面図である。
【図１４】第４実施形態の概略斜視図である。
【図１５】図１４のＸＶ−ＸＶ  視断面図である。
【図１６】第５実施形態の分離断面図である。
【符号の説明】
１  中間支柱
２  エンド支柱
３  水平ビーム
４  テーブル
５  インナー部材
６  アウター部材
７  係合手段の一貫を成す蟻溝型係合部
８  係合手段の一貫を成す凸状型係合部
９  アウター部材に設けた第１蟻溝
１０  カバー
１１  配線可能空間
５２  中間フレーム
【図１】
2004180779.tif 000003
【図２】
2004180779.tif 000004
【図３】
2004180779.tif 000005
【図４】
2004180779.tif 000006
【図５】
2004180779.tif 000007
【図６】
2004180779.tif 000008
【図７】
2004180779.tif 000009
【図８】
2004180779.tif 000010
【図９】
2004180779.tif 000011
【図１０】
2004180779.tif 000012
【図１１】
2004180779.tif 000013
【図１２】
2004180779.tif 000014
【図１３】
2004180779.tif 000015
【図１４】
2004180779.tif 000016
【図１５】
2004180779.tif 000017
【図１６】
2004180779.tif 000018